(57)【特許請求の範囲】
【請求項１】
本体装置に着脱自在に取り付けられる記録媒体の駆動装置であって、前記駆動装置は、
底板と該底板の両側に一体に設けられた側壁とを有し、その上に回路基板、スピンドルモータ、ステッピングモータなどが設けられるフレームと、
前記駆動装置を前記本体装置に着脱自在に取り付けるために前記フレームの左右の前方及び後方にそれぞれ設けられた計４つの取付部であって、各取付部は、前記フレームの側壁及び底板の１部に該フレームの側壁及び／又は底板とのみ部分的に連結されかつ可動に保持されるように形成されたものと、
前記４つの取付部のうち少なくとも前方及び後方の一つずつの取付部と関連して設けられ、それらの取付部の過度の変形を規制する変形規制手段と、を備え、各取付部は、前記フレームの側壁及び底板の１部を打ち抜いて形成され、前記連結された部分を除いて開口に囲まれるようになっており、
前記変形規制手段は、前記開口の幅が部分的に狭くなるようにして、前記取付部が一定以上の変形をした場合に、前記フレームの側壁又は底板に当接するように構成された少なくとも一つのストッパー部から成り、
前記一方の後方の取付部は、前方の取付部より撓みやすく形成され、かつ前方の取り付け部より多数のストッパー部を有していることを特徴とする記録媒体の駆動装置。
【請求項２】
前記一方の後方の取付部は、ステッピングモータに最も近い位置に設けられている取付部である請求項１に記載の記録媒体の駆動装置。
【請求項３】
前記前方の取付部は、左右対称でほぼ同じ形状に形成されている請求項１に記載の記録媒体の駆動装置。
【請求項４】
前記ストッパー部は、前記取付部の周囲に前記開口を介して位置するフレームの一部に設けられている請求項１に記載の記録媒体の駆動装置。
【請求項５】
前記ストッパー部は、前記フレームの一部を前記取付部側に突出形成することにより形成されている請求項４に記載の記録媒体の駆動装置。
【請求項６】
前記ストッパー部は、前記取付部の比較的可動性が大きい部分と当接するように設けられている請求項５に記載の記録媒体の駆動装置。
【請求項７】
前記ストッパー部は、前記取付部の水平方向及び垂直方向の変形を規制するように複数設けられている請求項１ないし６のいずれかに記載の記録媒体の駆動装置。
【請求項８】
前記ストッパー部は、前記取付部の一部を前記フレーム側に突出形成することにより形成されている請求項１ないし３のいずれかに記載の記録媒体の駆動装置。
【発明の詳細な説明】
【０００１】
【発明の属する技術分野】
本発明は、記録媒体の駆動装置に関し、さらに詳しくは、例えばフロッピーディスクのディスク駆動装置のフレームの改良に関する。
【０００２】
【従来の技術】
パーソナルコンピュータやワードプロセッサなどには、記録媒体であるフロッピーディスクから磁気的に記録された情報を再生し又は情報を該フロッピーディスクに磁気的に記録するためのディスク駆動装置が設けられている。一般に、このようなディスク駆動装置は、１つのユニットとして製造され、このユニット化された装置をパーソナルコンピュータ本体やワードプロセッサ本体などの本体装置に組み込むようになっている。
【０００３】
このようなディスク駆動装置を本体装置に組み込む場合には、本体装置に予め設けられたディスク駆動装置用の収容スペースにユニット化されたディスク駆動装置を装着した後に、ディスク駆動装置の両側からまたは下側からネジにより固定されるようになっている。より詳しくは、本体装置内のディスク駆動装置の収容スペースの両側及び下側には、所定の取付開口が形成された支持枠が設けられており、またディスク駆動装置には、該取付開口に対応する位置にタップ孔が形成された複数の取付部が設けられている。そして、前記支持枠の外側から支持枠に形成された取付開口にネジを挿入し、該ネジを前記ディスク駆動装置の取付部のタップ孔に螺合することにより、ディスク駆動装置のユニットを本体装置に取り付けかつ固定するようになっている。
【０００４】
ところで、この種のディスク駆動装置の中には、簡単な構成により部品点数を削減するために、底板と該底板の両側に側壁を一体に形成して成る箱型のフレームを用い、その上に回路基板、スピンドルモータ、ステッピングモータ、磁気ヘッド、ディスクホルダ、ディスクホルダの上下動機構といった主要部品を配置したものがある。このような箱型フレームを用いた場合には、上述した取り付け用のタップ孔を有する取付部は、フレームの一部を打ち抜いて又は切り欠いて形成される。
【０００５】
この場合、取付部は、上述したネジ止めの際に生じる歪やコンピュータ本体に加えられた振動などを吸収できるように、ある程度可動性を有するように、すなわちある程度撓むことができるように形成することが必要とされる。そのため従来の箱型フレームを有したディスク駆動装置にあっては、例えば側壁の一部を底板と部分的に連結した細長い片持ち梁状あるいはタブ状に打ち抜き、そのような形状に打ち抜いた部分にタップ孔を形成して可動な取付部としていた。すなわち、フレームの側部に形成された取付部が底板と一体に連結しかつ底板に保持された構造となっていた。
【０００６】
しかしながら、このような構造の取付部にあっては、底板と一体となっていることから、例えば本体装置を誤って落下させてしまい、取付部に大きな衝撃が加わった場合には、取付部を大きく変形させて、フレーム特に底板の歪の原因となる場合がある。また、本体装置にネジ止めする際に、各部材の寸法精度が悪いと、取付部を過度に変形させて大きな取付歪が生じ、その歪が取付部から底板まで及ぶ場合がある。底板にこのような歪みが生じると、底板上に設けられた回路基板に負荷を与えたりステッピングモータとの位置関係にも影響を及ぼすことがあり、それによりヘッド送りの精度が低下したり、スピンドルモータの中心位置がずれたりするなどの問題が生じることがあった。
【０００７】
特に、最近では、軽量化の要請から、この種のディスク駆動装置のフレームを薄い金属板から形成しているため、フレームの強度が弱くなっている。そのため、取付部に以上のような大きな衝撃や歪が加わると、取付部が大きく変形しあるいは一定以上撓んでしまい、それにより底板にも歪が生じ、以上のような問題起こり易くなっている。
【０００８】
【発明が解決しようとする課題】
本発明は、以上のような問題点に鑑みなされたものであり、簡単な構成でもって、耐衝撃性に優れしかも取付部に生じた歪の影響を受けにくいフレームを備えたフロッピーディスクなどの記録媒体のディスク駆動装置を提供することを目的とする。
【０００９】
また、本発明は、取付部に大きな取付歪が生じたりまた大きな衝撃が加わった場合であっても、取付部の可動範囲や変形範囲を一定に規制し得るフレームを備えた記録媒体の駆動装置を提供することを目的とする。
【００１０】
【課題を解決するための手段】
上記目的を達成するために本発明は、本体装置に着脱自在に取り付けられる記録媒体の駆動装置であって、前記駆動装置は、
底板と該底板の両側に一体に設けられた側壁とを有し、その上に回路基板、スピンドルモータ、ステッピングモータなどが設けられるフレームと、
前記駆動装置を前記本体装置に着脱自在に取り付けるために前記フレームの左右の前方及び後方にそれぞれ設けられた計４つの取付部であって、各取付部は、前記フレームの側壁及び底板の１部に該フレームの側壁及び／又は底板とのみ部分的に連結されかつ可動に保持されるように形成されたものと、
前記４つの取付部のうち少なくとも前方及び後方の一つずつの取付部と関連して設けられ、それらの取付部の過度の変形を規制する変形規制手段と、を備え、各取付部は、前記フレームの側壁及び底板の１部を打ち抜いて形成され、前記連結された部分を除いて開口に囲まれるようになっており、
前記変形規制手段は、前記開口の幅が部分的に狭くなるようにして、前記取付部が一定以上の変形をした場合に、前記フレームの側壁又は底板に当接するように構成された少なくとも一つのストッパー部から成り、
前記一方の後方の取付部は、前方の取付部より撓みやすく形成され、かつ前方の取り付け部より多数のストッパー部を有していることを特徴とする。
【００１１】
この場合、前記取付部は、好ましくは、前記フレームの側壁及び底板の１部を打ち抜いて形成され、前記連結部分を除いて開口に囲まれるようになっており、この場合前記変形規制手段は、前記開口の幅を部分的に狭くし設定して、前記取付部が一定以上の変形をした場合に、前記フレームの側壁又は底板に当接するように構成される。
【００１２】
この場合、前記一方の後方の取付部は、ステッピングモータに最も近い位置に設けられたる取付部とすることが好ましい。
【００１３】
また、前記前方の取付部は、左右対称でほぼ同じ形状に形成されることが好ましい。
【００１４】
また、好ましくは、前記ストッパー部は、前記取付部の周囲に前記開口を介して位置するフレームの一部に設けられる。この場合、前記ストッパー部は、前記フレームの一部を前記取付部側に突出形成することにより形成することができる。また、前記ストッパー部は、前記取付部の比較的可動性が大きい部分と当接するように設けることが好ましい。
【００１５】
また、好ましくは、前記ストッパー部は、前記取付部の水平方向及び垂直方向の変形を規制するように複数設けられる。
【００１６】
また、前記ストッパー部は、前記取付部の一部を前記フレーム側に突出形成することにより形成してもよい。
【００１７】
【発明の実施の形態】
以下、本発明にかかる記録媒体の駆動装置１０の好適実施例について、図面に基づいて詳細に説明する。この実施例では、本発明の記録媒体の駆動装置は、３．５インチフロッピーディスクのディスク駆動装置に応用されている。
【００１８】
図１は、本実施例にかかるディスク駆動装置１の主要部品の分解斜視図であり、図中符号３はディスク駆動装置のフレーム、４は回路基板、５はディスクホルダ、６はフロッピーディスクを示している。
【００１９】
前記フレーム３は、例えば厚さ０．８ｍｍ程度の金属板を所定形状に打ち抜き加工したものを所定形状に折曲げることにより形成されている。具体的には、概略、長方形の底板１０と、該底板１０のフロッピーディスク６の挿入方向両側を略直角に上向きに折曲げて形成した左右の側壁１１Ｌ，１１Ｒと、前記底板１０の奥側の辺を略直角に上向きに折曲げて形成した後壁１２とから構成され、前方及び上方が開放した略箱型のフレームに形成されている。
【００２０】
また、このフレーム３には、後述するように、ディスク駆動装置をコンピュータ本体やワードプロセッサや外付けのディスクドライブ装置などの本体装置に着脱自在に取り付けるための取付部３１，３２，３３，３４が左右それぞれ２個所に打ち抜き形成されている。
【００２１】
このフレーム３の前方開放部には、フロントベゼル１５が取り付けられており、該フロントベゼル１５に形成されたディスク挿入口１５ａを介して、フロッピーディスク６が出し入れされるようになっている。
【００２２】
この箱型フレーム３には、前述した回路基板４やディスクホルダ５などの主要部品が装着される。回路基板４には、フロッピーディスク６を回転駆動するためのスピンドルモータ２０、ディスクのチャッキング機構２１、各種制御回路２２及びＩ／Ｆコネクタ２４などが設けられている。また、ディスクホルダ５は、スライドカム機構５ａを介して、フロッピーディス６を着脱位置と駆動位置との間で移動させるようになっている。さらに、このディスクホルダ５には、フロッピーディスク６から磁気的に記録された情報の読出し及び該ディスクへの情報の書き込みを行う磁気ヘッド７を備えたキャリッジ８が連動するようになっている。このディスク駆動装置１では、これらの主要部品はすべてこの箱型フレーム３内に収容されており、全体として１つのユニットをなしている。
【００２３】
また、このフレーム３の後壁１２の後面には、ステッピングモータ９が取り付けられている。このステッピングモータ９の回転軸には、前記磁気ヘッド７のキャリッジ８と係合するリードスクリュー９ａが設けられており、それにより該キャリッジ８をディスク６の半径方向にステップ移動させることができるようになっている。
【００２４】
以上のように構成されたディスク駆動装置１のユニットは、コンピュータ本体やワードプロセッサなどの本体装置内に設けられたディスク駆動装置の収容部（図示せず）に着脱自在に装着される。この本体装置の収容部は、例えば左右両側及び下側に設けられた支持枠により区画形成されている。これらの支持枠には、機種に応じて、左右の支持枠又は下側の支持枠のいずれかに予め所定間隔で開口が形成されており、本体装置側の横側取付部又は下側取付部を構成している。一方、上記ディスク駆動装置１のフレーム３の左右にそれぞれ２個所設けられた取付部３１，３２，３３，３４には、これらの支持枠の開口に対応するように複数のタップ孔がそれぞれ形成されている。そして、上記支持枠の所定の開口に支持枠の外側からネジを挿入し、対応する取付部のタップ孔に該ネジを螺合させることにより、ディスク駆動装置１が本体装置内に固定されるようになっている。
【００２５】
このように、上記ディスク駆動装置１は、取付部３１，３２，３３，３４を介して、本体装置にネジにより固定される。そのため、ディスク駆動装置を装着した状態で本体装置を誤って落下させたりすると、大きな衝撃が直接これらの取付部３１，３２，３３，３４に作用することになる。また、このディスク駆動装置１を本体装置にネジ止めする際に、各取付部のタップ孔と支持枠の開口との位置関係やそれらの寸法精度が悪いと、ネジを締め付ける際に取付部に大きな取付歪が生じることがある。そのような大きな衝撃や歪が取付部に加わると、前述したようにこれらの取付部が比較的薄い金属板から形成されていることから、取付部が大きく変形したり撓んでしまう場合あり、それによりフレームの底板まで変形や歪が及び、前述したように回路基板やステッピングモータの送り精度に影響を与えることがある。
【００２６】
そこで、本発明にかかるディスク駆動装置においては、前記フレーム３の取付部３１，３２，３３，３４の可動範囲あるいは変形可能範囲を一定に制限し、以上のような大きな衝撃や歪が取付部に加わっても、取付部が一定以上変形することがないようにしている。
【００２７】
これらの取付部３１，３２，３３，３４の具体的な構造について、以下図１ないし図６に基づいて詳細に説明する。ここで、図２はフレーム３の平面図、図３はディスク６の挿入方向（図２の上方）から見た場合のフレーム３の左側部分の底面図、図４はフレーム３の左側面図、図５はフレーム３の右側部分の平面図、図６はフレーム３の右側面図である。なお、以下において、前後又は左右といった方向は、このディスクの挿入方向から見た方向である。
【００２８】
図１及び図２に示されているように、取付部３１はディスク６の挿入方向から見てフレーム３の左側前方に、取付部３２はフレーム３の左側後方に、取付部３３はフレーム３の右側前方に、また取付部３４はフレーム３の右側後方にそれぞれ形成されている。
【００２９】
前記取付部３１は、図３及び図４に詳しく示されているように、幅狭の連結部３１ｃ介して底板１０に一体に連結され、該底板１０と略同一平面に位置する底板部３１ａと、この底板部３１ａと２本の幅狭の連結片３１ｄ，３１ｄを介して一体に連結され、左側壁１１Ｌと略同一平面に位置する側壁部３１ｂとから構成されている。
【００３０】
より詳しくは、前記底板部３１ａは、図３に示されているように、前記底板１０の左辺前方部を、略Ｌ字形のタブ形状をなすように打ち抜くことにより形成されたもので、前記連結部３１ｃより側壁１１Ｌに向かって伸びる第１部分と、該第１部分の先端部から側壁１１に沿って前方に伸びる第２部分とを有している。その結果、この底板部３１ａの周囲には、前記連結部３１ｃの個所を除き、開口又は溝（以下、単に「開口」とする）１３１ａが形成されている。この底板部３１ａの第２部分の略中央には、タップ孔３１ｆが形成されており、またこの第２部分の外縁部には、前記タップ孔３１ｆの両側で、前記２本の連結片３１ｄ，３１ｄが一体に連結されている。
【００３１】
また、前記側壁部３１ｂは、図４に示されているように、左側壁１１Ｌの前方下部を、前後方向に伸びる細長い略長方形状に打ち抜くことにより形成されており、またその下縁には、前記底板部３１ａから伸びる連結片３１ｄ，３１ｄが一体に連結されている。この側壁部３１ｂの周囲も、前記連結片３１ｄ，３１ｄの個所を除き、開口１３１ｂが形成されている。この側壁部３１ｂの前方部にはタップ孔３１ｇが形成されている。また、後方部は、側壁１１Ｌに形成された凹部１１ａ内に開口１３１ｂを介して位置するようになっている。
【００３２】
このように、この取付部３１は、底板部３１ａと側壁部３１ｂとが一体に形成され、かつ底板部３１ａの連結部３１ｃにおいてのみフレーム３に連結されかつ支持されている。すなわち、取付部３１の周囲は、連結部３１ｃの個所を除き、開口１３１ａ，１３１ｂにより囲まれており、それにより、フレーム３に対して、これらの開口の範囲で、ある程度可動性を有するように、すなわちある程度撓むことができるように構成されている。
【００３３】
上述したように、本実施例では、取付部３１の周囲に、フレーム３との連結部３１ｃの部分を除き、開口が形成され、その開口の範囲で取付部３１がある程度撓むことができるように構成されている。しかしながら、本体装置を誤って落下させ大きな衝撃が加わった場合や、取付部を本体装置側にネジ止めする際に大きな取付歪が生じた場合には、取付部が過度に変形してしまうことがある。このような取付部の過度の変形は、フレーム３側に歪をもたらし、ステッピングモータ９の送り精度などに影響を与える。そこで、本実施例では、取付部の過度の変形を規制あるいは防止する手段を設け、それにより取付部の可動範囲又は変形可能な範囲を制限している。
【００３４】
この変形規制手段（変形防止手段）は、取付部３１では、前記底板部３１ａの第２部分の先端部３１ｅの周辺と、前記側壁部３１ｂの前方部と、前記側壁部３１ｂの後方部のそれぞれの周辺において、前記開口１３１ａ，１３１ｂの幅を他の部分の開口の幅に比べて一部狭く形成し、それにより取付部３１の可動範囲又は変形可能な範囲を制限するようになっている。
【００３５】
具体的には、取付部３１の底板部３１ａの第２部分の先端部３１ｅの内縁と対向するフレーム３の底板１０の一部を、前記先端部３１ｅの内縁の方に突出させてストッパー部４１ａを形成している。それにより、このストッパー部４１ａが形成された部分の開口１３１ａの幅、すなわちストッパー部４１ａと前記底板部３１ａの先端部３１ｅの内縁との間隔（ｄ１）が、他の部分におけるの開口の幅（ｄ２）に比べて狭くなるように構成されている。このようなストッパー部４１ａを上記位置に設けることにより、取付部３１の底板部３１ａの水平方向（フレーム３の底板１０と平行な方向）における可動範囲又は変形可能な範囲を制限している。
【００３６】
また、取付部３１の側壁部３１ｂの前方部の上側では、フレーム３の左側壁１１Ｌの下縁の一部を側壁部３１ｂ側へ突出させてストッパー部４１ｂを形成している。それにより、側壁部３１ｂの上縁と左側壁１１Ｌのストッパー部４１ｂが形成された下縁との間の開口の幅（ｄ３）が、他の部分における開口１３２ｂの幅（ｄ４）に比べて狭くなるように構成されている。このようなストッパー部４１ｂを上述した位置に設けることにより、取付部３１の側壁部３１ｂの上方への可動範囲又は変形可能な範囲を制限している。
【００３７】
さらに、取付部３１の側壁部３１ｂの後方部にあっては、該後方部の下縁とそれに開口１３１ｂを介して対向する左側壁１１Ｌの凹部１１ａの上縁との間の間隔（ｄ５）を、他の部分における開口１３１ｂの幅（ｄ４）に比べて狭くなるように形成して、ストッパー部４１ｃを構成している。このストッパー部４１ｃにより、取付部３１の側壁部３１ｂの下方への可動範囲又は変形可能な範囲を制限している。
【００３８】
これらのストッパー部４１ａ，４１ｂ，４１ｃは、上述したように、フレーム３の一部を突出形成することにより形成されている。従って、フレームを金属板から所定形状に打ち抜きあるいは切り欠き加工するだけで容易に形成でき、部品点数を増やすことがなく、所望の効果を得ることができる。
【００３９】
これらのストッパー部４１ａ，４１ｂ，４１ｃは、取付部３１の中で比較的可動範囲が大きい個所の動きを規制できる位置に設けることが好ましく、本実施例ではそのような観点から以上の位置に設けられている。また、本実施例では、フレーム３が厚さ０．８ｍｍの金属板から形成されているが、その場合上記ストッパー部４１ａ，４１ｂ，４１ｃが設けられた部分の開口の幅（ｄ１，ｄ３，ｄ５）は、他の部分の開口１３１ａ，１３１ｂの幅（ｄ２，ｄ４）が１．２ｍｍ以上であるのに対し、０．８ｍｍ  ±  ０．１ｍｍ程度になるように設定されている。なお、これらの数値は、フレームに用いる金属板の厚さや材料の強度などに応じて、適宜変更できることはいうまでもない。
【００４０】
なお、本実施例では、フレーム３の底板１０及び左側壁１１Ｌの一部にストッパー部４１ａ，４１ｂ，４１ｃを形成しているが、取付部３１側だけに同様のストッパー部を突出形成したり、あるいはフレーム３と取付部３１の双方にストッパー部を形成してもよい。また、これらのストッパー部４１ａ，４１ｂ，４１ｃを別途形成したプラスチック片やゴムなどの弾性片を接着したり、あるいは樹脂コーディングを施すことにより形成してもよい。
【００４１】
次に、取付部３２は、図３及び図４に詳しく示されているように、フレーム３の底板１０と略同一面に設けられた底板部３２ａと、フレーム３の左側壁１１Ｌと略同一面に設けられた側壁部３２ｂとから構成されている。
【００４２】
この取付部３２の底板部３２ａは、図３に詳しく示されているように、底板１０の後方左辺を略Ｕ字形に打ち抜いてタブ状に形成されており、周囲に開口１３２ａが形成されるともに、連結部３２ｃを介して底板１０に撓み可能に保持された構造となっている。また、この底板部３２ａには、タップ孔３２ｆが形成されている。
【００４３】
また、取付部３２の側壁部３２ｂは、図４に詳しく示されているように、フレーム３の左側壁１１Ｌの後方の略中央部の一部に、底板１０と略平行にスリット状の開口１３２ｂを形成するとともに、該開口１３２ｂの下方の側壁１１Ｌと底板１０の折曲げ個所にも３つの開口１３２ｃを形成することにより形成されている。そのため、この側壁部３２ｂは、長手方向両側において連結部３２ｄ，３２ｄを介して左側壁１１Ｌに保持されるとともに、その下縁において、前記３つの開口を区画する連結片３２ｅ，３２ｅを介して底板１０に連結されている。この側壁部３２ｂは、これらの連結部及び連結片による支持構造により、ある程度撓むことができるようになっている。また、この側壁部３２ｂの長手方向両側には、それぞれタップ孔３２ｇ，３２ｇが形成されている。
【００４４】
次に、取付部３３は、図５及び図６に詳しく示されているように、前述した取付部３１と左右対象の関係にあり、ほぼ同様の構成を有している。すなわち、この取付部３３は、底板１０と連結部３３ｃを介して連結保持された略Ｌ字形のタブ状の底板部３３ａと、該底板部３３ａに連結片３３ｄ，３３ｄを介して連結保持され、右側壁１１Ｒと略同一面内に位置する略長方形状の側壁部３３ｂとから構成されている。そして、これらの底板部３３ａと側壁部３３ｂの周囲は、前記連結部３３ｃを除き、開口１３３ａ，１３３ｂにより囲まれている。また、底板部３３ａと側壁部３３ｂには、それぞれタップ孔３３ｆ及び３３ｇが形成されている。さらに、フレーム３の底板１０及び右側壁１１Ｒには、前述した取付部３１のストッパー部４１ａ，４１ｂ，４１ｃの同様の構成及び機能を有するストッパー部４３ａ，４３ｂ，４３ｃがそれぞれ設けられ、取付部３３の底板部３３ａ及び側壁部３３ｂの可動範囲を規制している。従って、これらの部材の詳細な説明は省略する。
【００４５】
最後に、取付部３４は、図５及び図６に詳しく示されているように、底板１０の後方右側に形成された開口部１０ａ内において該底板１０とほぼ同一平面上に位置する底板部３４ａと、前記底板部３４ａと連結片３４ｃを介して連結され、右側壁１１Ｒとほぼ同一平面に位置する側壁部３４ｂとから構成されている。この取付部３４は、前記側壁部３４ｂの一部がフレーム３の右側壁１１Ｒと部分的に連結されることによってのみ、フレーム３に対して連結しかつ保持されている。すなわち、この取付部３４は、フレーム３の右側壁１１Ｒとの連結部のみにより保持されており、それ以外の個所ではフレームと連結されていない点において、前述した他の取付部３１，３２，３３の構造と相違している。
【００４６】
具体的には、図５に示されているように、底板１０の後方右側には、ディスクの挿入方向に伸びる略長方形状の開口部１０ａが打ち抜き形成されており、この開口部１０ａ内に、細長い板状に形成された底板部３４ａが、底板１０とほぼ同一平面上に位置するように設けられている。このように、この底板部３４ａは、フレーム３の底板１０と連結しておらず完全に分離しており、底板１０との間には、その可動性を確保すべく開口１３４ａが形成された構造となっている。この底板部３４ａの前方部には、タップ孔３４ｆが形成されている。一方、底板部４３ａの後方部３４ｅは、後方に向かって凸状に形成されており、底板１０に形成された凹部１０ｃ内に開口１３４ａを介して位置するようになっている。
【００４７】
この底板部３４ａの外縁部は、タップ孔３４ｆのすぐ後方位置と後方部との２個所においてにおいて、上向きに延びる連結片３４ｃ，３４ｃを介して、側壁部３４ｂの下縁に一体に連結されている。
【００４８】
この側壁部３４ｂは、図６に示されているように、右側壁１１Ｒの後方下部を、ディスクの挿入方向に長く延びた細長い長方形状であって、その上側縁部の一部において連結部３４ｄを介してフレーム３の側壁１１の下側縁部に一体に連結された形状に打ち抜くことにより形成されている。すなわち、この側壁部３４ｂは、連結部３４ｄを介してフレーム３の右側壁１１Ｒとのみ連結し、該側壁１１Ｒに可動に保持された構造となっている。そして、その周囲は、連結片３４ｃ，３４ｃ及び連結部３４ｄの個所を除き、開口１３４ｂにより囲まれている。
【００４９】
この細長い長方形状の側壁部３４ｂの長手方向両側の前方部及び後方部には、それぞれタップ孔３４ｇ，３４ｇが形成されている。そして、この側壁部３４ｂの後方部のタップ孔３４ｇが形成された個所の両側において、前述した底板部３４ａから延びる連結片３４ｃ，３４ｃが一体に連結されており、それにより前記底板部３４ａと側壁部３４ｂとが一体に構成されている。また、側壁部３４ｂの後方部先端には凸部３４ｈが形成され、右側壁１１Ｒに形成された凹部１１ｄ内に開口１３４ｂを介して位置するようになっている。
【００５０】
以上のように構成された取付部３４は、上記フレーム３の右側壁１１Ｒとの連結部３４ｄ及び底板部３４ａとの連結片３４ｃ，３４ｃを除き、その周囲のすべてに開口１３４ａ，１３４ｂが形成されており、その結果この取付部３４には、所望の可動性が与えられ、ある程度撓むことができるように構成されている。
【００５１】
このように、この取付部３４を右側壁１１Ｒとの連結部３４ｄのみでフレーム３に保持される構造としたのは、この取付部３４がステッピングモータ９に最も近い位置にあり、この個所から底板１０へ取付歪が伝わることを極力防止するためである。特に、この実施例のように、ディスク駆動装置１をその左右２個所の取付部を介して本体装置に取り付ける構成にあっては、後方右側の取付部３４から前方左側の取付部３１を結ぶ対角線方向の歪が生じると、ステッピングモータ９をはじめ、種々の機構に影響を与える可能性が高い。この意味からも、この取付部３４の可動性を他の取付部３１，３２，３３に比べ大きくなるように設計し、十分に歪を吸収できるようにしている。
【００５２】
この取付部３４に効果的な可動性を与えるためには、側壁部３４ｂのサイズや上記連結部３４ｄの形成位置や剛性が極めて重要である。本実施例では、０．８ｍｍの厚さの金属板を使用し、前記側壁部３４ｂを縦約４ｍｍ×横３４ｍｍの細長い長方形状に形成するとともに、前記連結部３４ｄを側壁部３４ｂの長手方向の略中央より若干前方側に形成し、またその幅は約４ｍｍ程度としている。なお、この取付部３４の側壁部３４ｂの構造は、以上の寸法や形成位置に限定されるものではなく、本発明の目的を達成し得る範囲であれば、適宜変更することができることはいうまでもない。
【００５３】
また、この取付部３４においても前述した取付部の過度の変形を防止するために、底板部３４ａ及び側壁部３４ｂのそれぞれについて、変形規制手段が設けられている。
【００５４】
具体的には、図５に示されているように、取付部３４の底板部３４ａでは、前記後方部３４ｅの周囲において、開口１３４ａの幅を幅狭に形成することにより、前述した変形規制手段を構成している。すなわち、図５に示されているように、底板部３４ａの後方部３４ｅの上縁を、対向する底板１０側（凹部１０ｃの上縁側）に若干突出させて、ストッパー部４４ａを形成している。それにより、その部分における開口の幅（ｄ６）を他の部分の開口の幅（ｄ７）に比べて狭く形成している。また、この底板部３４ａの後方部３４ｅの下側では、該後方部３４ｅの下縁と対向する底板１０の凹部１０ｃの上縁を若干後方部３４ｅ側へ突出させて、ストッパー部４４ｂを形成している。それにより、その部分における開口の幅（ｄ８）を他の部分の開口の幅（ｄ７）に比べて狭く形成している。そして、これらのストッパー部４４ａ，４４ｂにより、この底板部３４ａの水平方向（底板１０の平面内）での可動範囲又は変形可能範囲を規制している。
【００５５】
また、取付部３４の側壁部３４ｂでは、図６及び図７に示すように、側壁部３４ｂの後方凸部３４ｈの上縁と対向する側の側壁１１Ｒの下縁を側壁部３４ｂ側に若干突出させて、ストッパー部４４ｃを形成している。それにより、その部分の開口の幅（ｄ９）を他の部分の開口１３４ｂの幅（ｄ１０）に比べて狭く形成している。また、側壁部３４ｂの後方凸部３４ｈの下側では、該凸部３４ｈの下縁と対向する左側壁１１の凹部１１ｄの上縁部を若干側壁部３４ｂ側に突出させて、ストッパー部４４ｄを形成している。それにより、その部分の開口の幅（ｄ１０）を他の部分の開口１３４ｂの幅（ｄ１０）に比べて狭く形成している。そして、これらのストッパー部４４ｃ，４４ｄを設けることにより、前記連結部３４ｄから最も離れた側壁部３４ｂの後方部３４ｅの上下方向の可動範囲又は変形可能範囲を規制している。
【００５６】
なお、これらのストッパー部４４ａ，４４ｂ，４４ｃ，４４ｄは、取付部３４のうちで変形範囲が大きい個所の動きを規制できる位置に設けることが好ましく、そのような観点から以上の位置に設けられている。本実施例では、フレーム３が厚さ０．８ｍｍの金属板から形成された場合に、これらのストッパー部ストッパー部４４ａ，４４ｂ，４４ｃ，４４ｄは、その部分における開口の幅（ｄ６，ｄ８，ｄ９，ｄ１１）が、他の部分の開口の幅（ｄ７，ｄ１０）が１．２ｍｍ以上であるのに対し、０．８ｍｍ  ±  ０．１ｍｍ程度になるように設定されているが、これらの数値は、フレームに用いる金属板の厚さや材料や強度などに応じて、適宜変更できることはいうまでもない。一例として、本体装置が落下した際に８０Ｇ程度の衝撃が加わった場合に取付部がこれらのストッパー部に当接し、それ以上の変形を防止できるような設定とすることが望ましい。
【００５７】
また、取付部３１との関係で述べたように、この取付部３４でも、取付部側だけあるいは取付部とそれに対向するフレーム側の双方にストッパー部を形成することが可能である。また、これらのストッパー部４４ａ，４４ｂ，４４ｃ，４４ｄのすべてあるいはいずれかを、別途形成したプラスチック片やゴムなどの弾性片を接着したり、あるいは樹脂コーディングを施すことにより形成してもよい。
【００５８】
以上のように構成された本実施例にかかるディスク駆動装置によれば、各取付部３１，３２，３３，３４をある程度の可動性を有するように構成していることから、本体装置への取付けの際に生じる取付歪をそれらで吸収することができ、歪がフレーム３の底板１０や回路基板に影響を及ぼすことを効果的に防止できる。また、本体装置が落下した際に生じる振動などもある程度吸収できる。特に、ステッピングモータの近くに位置する取付部３４においては、上述したように側壁部３４ｂの一部をフレーム３の右側壁１１Ｒのみに連結し、取付部３４が右側壁１１Ｒに対して適切な可動性を有するように保持されているので、該取付部３４にかかる歪や振動が底板に伝わることを防止できる。それにより、取付部３４に生じた歪が、ステッピングモータのヘッド送り精度に影響を与えるなどの問題を効果的に防止できる。
【００５９】
また、フレーム３は、比較的薄い金属板から形成され、しかも効果的に歪を吸収できるように、各取付部とフレームとの連結部は幅狭に形成されているため、取付部の強度が低下して、本体装置が落下した際に生じる衝撃や取付時に加わる歪により、取付部が過度に変形して、ヘッドの送り精度などに影響を及ぼす可能性がある。しかしながら、各取付部の可動性の大きな部分には、上述したようなストッパー部を設けてその可動範囲を規制しているので、そのような衝撃や歪が生じて取付部が過度に変形又は動いても、ストッパー部に当接してそれ以上の動きが規制又は制限され、フレームに対する影響を最小限に押さえることができる。
【００６０】
なお、以上の実施例では、フレーム３の後方右側の取付部３４のみを以上のような側壁１１Ｒにより連結部３４ｄを介して可動に保持された構造に構成されたが、他の取付部３１，３２，３３のすべてをあるいはいずれかを同様の構成とすることもできる。
【００６１】
また、本発明をフロッピーディスクの駆動装置に応用した場合について説明したが、本発明の取付構造は、ミニディスクや光ディスク（ＣＤ−ＲＯＭ）や光磁気ディスク（ＭＯ）、デジタルオーディオテープ（ＤＡＴ）などの他の記録媒体の駆動装置の取付構造にも応用できることはいうまでもない。
【００６２】
最後に、本発明は、上記実施例に限定されるわけではなく、特許請求の範囲に記載された請求項の範囲で種々の改良や変形が可能であることに留意されたい。
【００６３】
【発明の効果】
上述したように、本発明では、ディスク駆動装置の取付部の可動範囲あるいは変形可能範囲を制限する変形規制手段を設けているので、フレームを比較的薄い金属板から形成しても、本体装置が落下した際に生じる衝撃や取付時に加わる歪により、取付部が過度に変形してヘッドの送り精度などに影響を及ぼすことを防止できる。
【００６４】
また、この変形規制手段は、フレーム又は取付部の一部にストッパー部を一体に形成するという簡単な手段により形成することができるので、部品点数が増加することもなく、安価に製造することができる。
【００６５】
【図面の簡単な説明】
【図１】本発明の記録媒体の駆動装置の一例であるフロッピーディスク駆動装置の一実施例を示す分解斜視図である。
【図２】前記ディスク駆動装置のフレームの平面図である。
【図３】前記ディスク駆動装置のディスクの挿入方向から見て左側部分の底面図である。
【図４】前記ディスク駆動装置の左側部分の側面図である。
【図５】前記ディスク駆動装置のディスクの挿入方向から見て右側部分の平面図である。
【図６】前記ディスク駆動装置の右側部分の側面図である。
【図７】前記ディスク駆動装置の取付部３４の部分の拡大側面図である。
【符号の説明】
１  ディスク駆動装置
３  フレーム
４  回路基板
５  ディスクホルダ
６  フロッピーディスク（記録媒体）
７  磁気ヘッド
８  キャリッジ
９  ステッピングモータ
１０  底板
１０ａ  開口部
１０ｃ  凹部
１１Ｌ  左側壁
１１Ｒ  右側壁
１１ａ、１１ｃ  凹部
１５  フロントベゼル
１５ａ  ディスク挿入口
２０  スピンドルモータ
２１  チャッキング機構
２２  回路
２３  Ｉ／Ｆコネクタ
３１，３２，３３，３４  取付部
３１ａ，３２ａ，３３ａ，３４ａ  底板部
３１ｂ，３２ｂ，３３ｃ，３４ｃ  側壁部
３１ｃ，３２ｃ，３２ｅ，３３ｃ，３４ｃ  連結片（連結部）
３１ｄ，３２ｄ，３３ｄ，３４ｄ  連結片（連結部）
３１ｇ，３１ｆ，３２ｇ，３２ｆ，３３ｇ，３３ｆ，３４ｇ，３４ｆ  タップ孔
３１ｅ  先端部
３４ｅ，３４ｈ  後方凸部
４１ａ，４１ｂ，４１ｃ，４３ａ，４３ｂ，４３ｃ，４４ａ，４４ｂ，４４ｃ，４４ｄ  ストッパー部
１３１ａ，１３１ｂ，１３２ａ，１３２ｂ，１３３ａ，１３３ｂ，１３４ａ，１３４ｂ  開口（溝）
【図１】
0003560191.tif 000002
【図２】
0003560191.tif 000003
【図３】
0003560191.tif 000004
【図４】
0003560191.tif 000005
【図５】
0003560191.tif 000006
【図６】
0003560191.tif 000007
【図７】
0003560191.tif 000008